(57)【要約】【課題】ケース本体に収容された液体容器のシール部材が、蓋部のシールブレイカーを押すことによりこれに設けられた破断突起で押し破られ、液体容器内の展開液が検出部まで展開されるようにした試験用具において、シールブレイカーのいずれの部位を押し下げた場合でも、シールブレイカーが規定された動きを行うこと可能にする。【解決手段】シールブレイカー９の大屋根部１３の傾斜面の裏側にブロック１９を設ける。このブロック１９は、円柱体２０と、この円柱体２０の外周面から放射状に延びるガイドリブ２１ａ、２１ｂ、２１ｃとから構成されている。【選択図】図１
2006029817.tif 000002
【特許請求の範囲】
【請求項１】
ケース本体と、このケース本体を覆う蓋部とからなり、
ケース本体には、シール部材で密閉された液体容器と、この液体容器のシール部材上に載置された第１の吸収材と、この第１の吸収材の一端部に重ね合わせられて配置された第２の吸収材が収められており、
蓋部には、シールブレイカーが形成されており、
この蓋部が、そのシールブレイカーが第１の吸収材上に位置するようにしてケース本体に取り付けられ、
上記シールブレイカーは、寄棟屋根状の部材であって、上記第２の吸収材側に向いた屋根部の頂部の裏面には、これから破断突起が垂下して設けられており、  上記シールブレイカーを押したときに、シールブレイカーが不可逆的に押し込められ、これに伴って破断突起が第１の吸収材を押し付けた状態で液体容器のシール部材を破り、第１の吸収材の一部を液体容器内の液体に浸すようにした試験用具であって、
第２の吸収材側に向いた屋根部の傾斜部の裏面にブロックが設けられたことを特徴とする試験用具。
【請求項２】
上記ブロックは、その１つの側部が上記破断突起に連結され、他の１つの側部が第２の吸収材側に向いた屋根部の下端縁部まで延びていることを特徴とする請求項１記載の試験用具。
【請求項３】
上記ブロックが、円柱体とこの円柱体から四方に延びる４ヶのガイドリブとから構成され、これらガイドリブの内の１ヶが上記破断突起に連結され、他の１ヶが第２の吸収材側に向いた屋根部の下端縁部まで延びていることを特徴とする請求項１または２記載の試験用具。
【発明の詳細な説明】
【技術分野】
【０００１】
この発明は、免疫測定などにおける検体中の測定対象物を検知するためのディスポーザブルタイプの試験用具に関する。
【背景技術】
【０００２】
従来、この種の試験用具として、測定対象物を展開液により展開して検出部まで移送するタイプのものが知られており、小型で、高感度で、簡単かつ迅速に検知ができるとされている。
このような試験用具の一例として、特許第３２３７５４０号公報に開示のものがある。
【０００３】
この試験用具は、例えば酵素免疫検定法（ＥＩＡ）に用いられる場合、図３および図４に示すように、全体の形状が細長い箱状となっており、ケース本体１とこのケース本体１を覆う蓋部２とから概略構成されている。
ケース本体１には、図４に示すように、その長手方向の一端部側に、アルミニウム箔などのシール部材３で密閉され、内部に展開液が満たされた液体容器４が収容されている。この液体容器４のシール部材３上には、平面形状が矩形の第１の吸収材５が載置されている。
【０００４】
この第１の吸収材５の一方の端部側には、テープ状の第２の吸収材６の一端部が、第１の吸収材５の下側であってシール部材３の上側に、第１の吸収材５と重なり合うように置かれている。また、第２の吸収材６の長手方向のほぼ中間位置には、第３の吸収材７がこの上に置かれている。さらに、第２の吸収材６の他端部側には、第４の吸収材８がこの上に載置されている。
【０００５】
上記第１の吸収材５には、特定の酵素が例えばアルカリホスタファーゼの場合には、この酵素で分解し発色する基質、例えば５−ブロモ−４−クロロ−３−インドリルリン酸ナトリウム（ＢＣＩＰ）やｐ−ニトロフェニルホスフェートなどを含有した吸水性の不織布、濾紙などが用いられる。
また、第２の吸収材６には、測定対象物と特異的に結合する第１の物質（例えば、抗原、抗体など）が固定されている検出部を有するニトロセルロースのメンブランなどが用いられる。
【０００６】
第３の吸収材７には、上記特定の酵素、例えばアルカリホスタファーゼで標識された測定対象物と特異的に結合する第２の物質（例えば、酵素標識抗原、酵素標識抗体など）を含有する吸水性の不織布、濾紙などが用いられる。
第４の吸収材８には、試薬を含まない吸水性の不織布、濾紙などが用いられる。
【０００７】
一方、このケース本体１を覆う蓋部２には、図３に示すように、その長手方向の一端側から、シールブレイカー９、検体滴下窓１０、判定窓１１および蒸散窓１２がこの順序で他端側に向けて所定の間隔を介して設けられている。
そして、この蓋部２は、そのシールブレイカー９がケース本体１の液体容器４上に、検体滴下窓１０が第３の吸収材７上に、判定窓１１が第２の吸収材６の検出部上に、蒸散窓１２が第４の吸収材８上にそれぞれ位置するようケース本体１に重ね合わせられている。
【０００８】
上記シールブレイカー９は、図５に示すように、大屋根部１３と、この大屋根部１３の反対側に延びる小屋根部１４と、大屋根部１３と小屋根部１４との側方に延びる２つの側屋根部１５、１５とからなる寄棟屋根状の部材である。
また、このシールブレイカー９のこれらの各屋根部１３、１４、１５のそれぞれの境界となる稜線部分は、弱化線部１６となっている。
【０００９】
この弱化線部１６は、シールブレイカー９をなす材料の厚さを薄くして形成した部分であり、この弱化線部１６が存在することで、シールブレイカー９を押し下げた際、シールブレイカー９が不可逆的に押し込められた状態になる。また、シールブレイカー９の大屋根部１３は、上記第２の吸収材６側に向いて配設されている。
【００１０】
さらに、シールブレイカー９の大屋根部１３の頂部の裏側から、破断突起１８が垂下して設けられている。この破断突起１８は、シールブレイカー９を押し下げた際に、第１の吸収材５の一部を下方に押しつけるとともに液体容器４のシール部材３を破断し、第１の吸収材５の一部を液体容器４内に満たされた展開液に浸すようにするものである。この破断突起１８は、板状のもので、その長手方向が蓋部２の長手方向に直交するように配置されている。
【００１１】
上記ケース本体１および蓋部２は、低密度ポリエチレン、ポリプロピレンなどの熱可塑性樹脂を精密射出成形して形成されたものである。
【００１２】
このような試験用具にあっては、試料液を検体滴下窓１０に滴下し、第３の吸収材７に吸収させる。ついで、シールブレイカー９の大屋根部１３を指先等で押し下げる。これにより、上述のように、破断突起１８が押し下げられ、第１の吸収材５の一部が液体容器４の展開液に浸され、展開液が第１の吸収材５から第２の吸収材６に展開、移動し、さらに第４の吸収材８に向けて展開、移動する。
一定時間経過後、判定窓１１を介して第２の吸収材６の検出部を観察し、判定窓１１における発色を確認し、検体中の測定対象物について陽性または陰性の判定を行う。
【００１３】
ところで、このような従来の試験用具にあっては、シールブレイカー９の大屋根部１３を押し下げる必要があったが、誤って図６（ａ）に示すように、小屋根部１４等、大屋根部１３以外の部位を押してしまうことがある。特に、多数の試験用具を同時に用いる集団検査などではこのような誤操作が発生しやすい。
【００１４】
このように、誤ってシールブレイカー９の小屋根部１４を押すと、図６（ｂ）に示すように、破断突起１８の先端が大屋根部１３方向に傾きつつ第１の吸収材５にその先端が当接し、第１の吸収材５は小屋根部１４側に引っ張られるように、破断突起１８により液体容器４内に押し込められることになり、その際第１の吸収材５が切断されて、その一部が液体容器４内に落下してしまうことがある。
第１の吸収材５が切断されると、展開液が第１の吸収材５に浸透、展開して行くことができなくなり、検査を行えなくなる問題が生じる（反応不成立）。
【特許文献１】特許第３２３７５４０号公報
【発明の開示】
【発明が解決しようとする課題】
【００１５】
よって、本発明における課題は、シールブレイカーの大屋根部以外の部位を誤って押しても、シールブレイカーが規定された以外の動きをすることが防止でき、誤操作を回避できるようにすることにある。
【課題を解決するための手段】
【００１６】
かかる課題を解決するため、
請求項１にかかる発明は、ケース本体と、このケース本体を覆う蓋部とからなり、
ケース本体には、シール部材で密閉された液体容器と、この液体容器のシール部材上に載置された第１の吸収材と、この第１の吸収材の一端部に重ね合わせられて配置された第２の吸収材が収められており、蓋部には、シールブレイカーが形成されており、この蓋部が、そのシールブレイカーが第１の吸収材上に位置するようにしてケース本体に取り付けられ、上記シールブレイカーは、寄棟屋根状の部材であって、上記第２の吸収材側に向いた屋根部の頂部の裏面には、これから破断突起が垂下して設けられており、  上記シールブレイカーを押したときに、シールブレイカーが不可逆的に押し込められ、これに伴って破断突起が第１の吸収材を押し付けた状態で液体容器のシール部材を破り、第１の吸収材の一部を液体容器内の液体に浸すようにした試験用具であって、
第２の吸収材側に向いた屋根部の傾斜部の裏面にブロックが設けられたことを特徴とする試験用具である。
【００１７】
請求項２にかかる発明は、上記ブロックは、その１つの側部が上記破断突起に連結され、他の１つの側部が第２の吸収材側に向いた屋根部の下端縁部まで延びていることを特徴とする請求項１記載の試験用具である。
請求項３にかかる発明は、上記ブロックが、円柱体とこの円柱体から四方に延びる４ヶのガイドリブとから構成され、これらガイドリブの内の１ヶが上記破断突起に連結され、他の１ヶが第２の吸収材側に向いた屋根部の下端縁部まで延びていることを特徴とする請求項１または２記載の試験用具である。
【発明の効果】
【００１８】
本発明の試験用具によれば、シールブレイカーの少なくとも一部を押し下げることにより、シールブレイカーが規定された以外の動きをすることなく不可逆的に押し込められるため、第１の吸収材が切断されて検査が実行することができないという事態（反応不成立）を回避することができる。また、シールブレイカーが斜めに押され、破断突起が横方向に振られることにより、ケース本体にあたり、シールブレイカーの動きが妨げられる、いわゆる片押し状態をも防止できる。
シールブレイカーが規定された動きを行うという本発明の効果は、第２の吸収材側に向いた屋根部の傾斜部の裏面に設けられたブロックと、該屋根部の付け根とが、シールブレイカーを押し下げる力に耐え得るヒンジの役割を果たすという点に基づく。
【発明を実施するための最良の形態】
【００１９】
以下、本発明を図面に基づいて詳しく説明する。
図１および図２は、本発明の試験用具の要部であるシールブレイカーの一例を示すもので、このシールブレイカー以外の部分は先に説明した従来のものと同一であるので、その説明を省略する。
図１は、シールブレイカー９を蓋部２の長手方向に沿って切断した断面図であり、図２は、シールブレイカー９を裏面側から見た平面図である。
図１および図２において、従来のシールブレイカー９と同一構成部分には同一符号を付してその説明を省略する。
【００２０】
図１および図２中、符号１９はブロックを示す。このブロック１９は、図１にあるように、第２の吸収材６側に向いた屋根部（ここでは「大屋根部１３」）の傾斜面の裏側にこれと一体に設けられたものである。
この例でのブロック１９は、図２に示すように、大屋根部１３の傾斜面の裏側から垂下する円柱体２０と、この円柱体２０の円周面から四方に放射状に延びる４ヶのガイドリブ２１ａ、２１ｂ、２１ｃ、２１ｃとから構成されている。
【００２１】
これらガイドリブの内の１ヶのガイドリブ２１ａは、破断突起１８の側部に一体的に連結されており、このガイドリブ２１ａの円柱体２０を挟んで反対側のガイドリブ２１ｂは、大屋根部１３の下端縁部にまで延びている。
また、この例での破断突起１８は、やや厚さの厚い板状体であって、その先端および周囲は角のない丸みを帯びた形状となっている。
【００２２】
このようなブロック１９は、シールブレイカー９の小屋根部１４を押しても、シールブレイカー９が規定以外の動きをすることを防止する機能を有する。すなわち、大屋根部１３以外の部位を押し下げた場合でも、シールブレイカー９は常に規定された範囲の動きをするため、反応不成立という結果を招く第１の吸収材５の切断を防止することができる。
【００２３】
また、この例では、ガイドリブ２１の残りの２ヶ２１ｃ、２１ｃが蓋部２の短手方向に延びるように形成されているので、大屋根部１３を押す際に、押し方向が蓋部２の短手方向に少々偏っても、常に破断突起１８の先端部が均等に第１の吸収材５に当たることになって、第１の吸収材５が均一に液体容器４内の展開液に浸されることにもなる。
【００２４】
なお、この発明においては、ブロック１９の形状は、先に示したものに限定されることはなく、種々の変形したブロックを採用することができる。例えば、台形状のものや板状のものなどが挙げられ、シールブレイカー９の小屋根部１４を押しても、シールブレイカー９の動きが反応不成立という結果を招くことを防止できる機能を発揮するものであればどのような形状のものでもよい。
【図面の簡単な説明】
【００２５】
【図１】本発明の試験用具におけるシールブレイカーの一例を図２のＩ−Ｉ′線で切断した概略断面図である。
【図２】本発明の試験用具におけるシールブレイカーの一例を示す裏面から見た概略平面図である。
【図３】従来の試験用具を示す上平面図である。
【図４】従来の試験用具を示す図３のＩＩ−ＩＩ′線で切断した縦断面図である。
【図５】従来の試験用具におけるシールブレイカーを示す概略断面図である。
【図６】従来の試験用具におけるシールブレイカーの動作を示す説明図である。
【符号の説明】
【００２６】
１・・・ケース本体、２・・・蓋部、３・・・シール部材、４・・・液体容器、５・・・第１の吸収材、６・・・第２の吸収材、９・・・シールブレイカー、１３・・・大屋根部、１４・・・小屋根部、１８・・・破断突起、１９・・・ブロック、２０・・・円柱体、２１ａ、２１ｂ、２１ｃ・・・ガイドリブ。
【図１】
2006029817.tif 000003
【図２】
2006029817.tif 000004
【図３】
2006029817.tif 000005
【図４】
2006029817.tif 000006
【図５】
2006029817.tif 000007
【図６】
2006029817.tif 000008